(57)【特許請求の範囲】
【請求項１】
ベルトに連結する枠或いはベルトを通す環状の枠に直接的に接触して装着され、
又は前記枠を覆うベルトを介して前記枠に間接的に装着され、
機能拡張部を備えてなり、
前記装着が、
装着時の部材の変形が元の形状に戻ろうとする作用によって発生する摩擦力で、
又は／及び
装着時の部材の変形が元の形状に戻ろうとする作用による咬合で、
さらに、
前記枠又は前記枠を覆うベルトに対して複数の面で接し、前記枠と前記ベルトで挟持されつつ、前記枠に非回転で保持されることを特徴とするベルト枠取付用機能拡張部材。
【請求項２】
さらに、前記枠と前記ベルト枠取付用機能拡張部材とで、前記ベルトを挟持することを特徴とする請求項１に記載のベルト枠取付用機能拡張部材。
【請求項３】
使用時の前記ベルトの張力により、前記ベルト枠取付用機能拡張部材がより強く挟持され脱落しにくくなることを特徴とする請求項１又は請求項２に記載のベルト枠取付用機能拡張部材。
【請求項４】
前記機能拡張部は、物を係止、或いは取り付けする部分で、穴、ピン、橋、ピンを立設した橋、鈎、リング、コの字挟持体及びバックルの内いずれか１種、又は２種以上であることを特徴とする請求項１〜請求項３のいずれか１項に記載のベルト枠取付用機能拡張部材。
【発明の詳細な説明】
【技術分野】
【０００１】
本発明は、ベルトに連結するバックル、或いはベルトを通しベルトの長さを調節する金具などの環状の枠を利用して、さらにはベルトをも利用して、ベルトに通すことなくフックなどの機能拡張部をベルト周辺に簡単に着脱可能に増設できる、ベルト枠取付用機能拡張部材に関する。
【背景技術】
【０００２】
テープと呼ばれることもあるベルトを備えるバッグ、バックパック、リュックなどの荷物入れに、両手に自由を確保するため、手荷物を一時的に係止するフックを付加する技術がある。
【０００３】
例えば、特許文献１には、ベルトの長さの調節や固定にも利用でき、傘や軽荷物、携帯電話やアクセサリーなどの係止と、両者を兼ね備えたファッション性にも富む、送りカンであって、
ウェストポーチのベルト８の長さの調節及び固定に利用される日の字形状でベルト８の上を横方向に移動さすことができる送りカン１において、
該送りカン１の上枠４の裏側面にはズボンフック６と、下枠５の表側面に携帯フック７を設けてなる。
【０００４】
しかしながら、特許文献１の送りカンは、ベルト８にズボンフック６で掛止されているだけ（図１−図３）で、ぶつかるなどの衝撃で簡単に脱離してしまう。或いは、図４−図９は、送りカンにフックを一体的に備えるものであり、ベルトに通すため脱落はしないが、装着が煩雑である。
【先行技術文献】
【特許文献】
【０００５】
【特許文献１】実用新案登録第３１６９３２１号公報
【発明の概要】
【発明が解決しようとする課題】
【０００６】
そこで、本発明はベルトに連結するバックル、或いはベルトを通しベルトの長さを調節する金具などの環状の枠を利用して、さらにはベルトをも利用して、ベルトに通すことなくフックなどの機能拡張部をベルト周辺に簡単に着脱可能に増設できる、ベルト枠取付用機能拡張部材を提供することを目的とする。
【課題を解決するための手段】
【０００７】
（１）
ベルトに連結する枠或いはベルトを通す環状の枠に直接的に接触して装着され、
又は前記枠を覆うベルトを介して前記枠に間接的に装着され、
機能拡張部を備えてなり、
前記装着が、
装着時の部材の変形が元の形状に戻ろうとする作用によって発生する摩擦力で、
又は／及び
装着時の部材の変形が元の形状に戻ろうとする作用による咬合で、
さらに、
前記枠又は前記枠を覆うベルトに対して複数の面で接し、前記枠と前記ベルトで挟持されつつ、前記枠に非回転で保持されることを特徴とするベルト枠取付用機能拡張部材。
（２）
さらに、前記枠と前記ベルト枠取付用機能拡張部材とで、前記ベルトを挟持することを特徴とする請求項１に記載のベルト枠取付用機能拡張部材。
（３）
使用時の前記ベルトの張力により、前記ベルト枠取付用機能拡張部材がより強く挟持され脱落しにくくなることを特徴とする請求項１又は請求項２に記載のベルト枠取付用機能拡張部材。
（４）
前記機能拡張部は、物を係止、或いは取り付けする部分で、穴、ピン、橋、ピンを立設した橋、鈎、リング、コの字挟持体及びバックルの内いずれか１種、又は２種以上であることを特徴とする請求項１〜請求項３のいずれか１項に記載のベルト枠取付用機能拡張部材。
の構成とした。
【０００８】
本発明のベルト枠取付用機能拡張部材は、一体成型で製造したり、既成のベルト等に取り付けやすくするために、複数の部材に分割した部材群とすることもできる。また、本発明は、金属、樹脂、木材、織物，皮革またはセラミックなどの組み合わせで構成され、材料によって限定されるものではない。
【０００９】
本発明のベルト枠取付用機能拡張部材の製造方法についても，射出成型、切削・研削加工、鋳造、プレス加工、塑性加工、焼結加工，放電加工、または３Ｄプリンター等による積層造形と呼ばれる熱溶解積層法、光造形法、粉末法、インクジェット法、シート積層法などが利用でき、その製造方法によって限定されるものではない。
【００１０】
本発明では、ベルト枠取付用機能拡張部材の装着には、摩擦や咬合を基本原理として活用している。これらの基本原理は、装着されて相対的な位置関係が保持された両接触面の凹凸の位置的な変動周期（空間周波数の逆数）の大小により理解と表現が異なる。その変動周期が長い（空間周波数が低い）場合，「咬合で保持されている」と理解され、その変動周期が短い（空間周波数が高い）場合、「摩擦力で保持されている」と理解されることが多い。
【００１１】
また，接触面の凹凸の深さについても同様で、深い場合は「咬合で保持されている」と理解され、浅い場合、「摩擦力で保持されている」と理解されることが多い。
【００１２】
その両方というように、本質的に共通した機械的な作用で，ベルト枠取付用機能拡張部材と枠の相対的な位置関係が保持される原理を用いている。
【発明の効果】
【００１３】
本発明は、上記構成であるので以下の効果を発揮する。金属、樹脂、木材、セラミックまたはその他の材料で作られている枠状部材であるベルトのバックル、スライダーバックル、ラダーロック、トライグライト、テープアダプター、リングフック、カン、例えばＤカン、コキカン、ナスカン、トライリング、丸カン、小カン、角カン、月カン、板送り等を含む長さ調節金具（アジャスター）などの環状の枠を利用して、さらにはベルトをも利用して、ベルトに掛けるだけでなく、またベルトに通す必要がなく、既存の枠を利用して、フックなどの機能拡張部をベルト周辺に簡単に着脱可能に増設できる。
【図面の簡単な説明】
【００１４】
【図１】本発明であるベルト枠取付用機能拡張部材の第一の実施形態の説明図であり、（Ａ）が斜視図、（Ｂ）が使用状態の平面写真、（Ｃ）が使用状態の側面写真である。
【図２】本発明であるベルト枠取付用機能拡張部材の第二の実施形態の説明図であり、（Ａ）が斜視図、（Ｂ）が使用状態の平面写真、（Ｃ）が使用状態の側面写真である。
【図３】本発明であるベルト枠取付用機能拡張部材の第三の実施形態の説明図であり、（Ａ）が斜視図、（Ｂ）が使用状態の斜視写真、（Ｃ）が使用状態の側面写真である。
【図４】本発明であるベルト枠取付用機能拡張部材の第四の実施形態の説明図であり、（Ａ）が斜視図、（Ｂ）が使用状態の側面斜視写真である。
【図５】本発明であるベルト枠取付用機能拡張部材の第五の実施形態の説明図であり、（Ａ）が平面写真、（Ｂ）が側面写真、（Ｃ）が底面写真である。
【図６】本発明であるベルト枠取付用機能拡張部材の第五の実施形態の説明図であり、（Ａ）が一部部品の側面写真、（Ｂ）がベルト枠に取り付けた状態の側面写真、（Ｃ）が使用状態の平面写真である。
【図７】本発明であるベルト枠取付用機能拡張部材の第六の実施形態の説明図であり、（Ａ）が斜視図、（Ｂ）が使用状態の側面写真である。
【図８】本発明であるベルト枠取付用機能拡張部材の第七の実施形態の説明斜視図である。
【図９】本発明であるベルト枠取付用機能拡張部材の第八の実施形態の説明図であり、（Ａ）が斜視図、（Ｂ）が使用状態の側面写真である。
【図１０】本発明であるベルト枠取付用機能拡張部材の第九の実施形態の説明図であり、（Ａ）が分解状態、（Ｂ）が組み立て途中、（Ｃ）がベルト枠への装着状態、（Ｄ）がペットボトルを係止した使用状態写真である。
【図１１】本発明であるベルト枠取付用機能拡張部材の第十の実施形態の説明図であり、（Ａ）が斜視写真、（Ｂ）が使用状態の斜視写真である。
【発明を実施するための形態】
【００１５】
以下、添付の図面を参照し、本発明の実施の形態について、詳細に説明する。なお、本発明は下記実施例に限定されるものではない。
【実施例１】
【００１６】
図１（Ａ）に示す、本発明の第一実施形態のベルト枠取付用機能拡張部材１１は、本体１２と、本体１２に連設する挟持部１３とからなる。
【００１７】
本体１２は、枠１２ａと枠１２ａに穿設した穴１２ｂとからなる。挟持部１３は、本体の枠１２ａに連設した第一突起１３ａと第二突起１３ｂと、それらの間に形成されたスペース１３ｃとからなる。第一突起１３ａにはスペース１３ｃ側に突部を備える。
【００１８】
ベルト枠取付用機能拡張部材１１は、図１（Ｂ）及び（Ｃ）に示すように、挟持部１３が樹脂製アジャスター１０１の枠１０１ａの内側から、枠１０１ａの一辺を第一突起１３ａと第二突起１３ｂで挟み、枠１０１ａの一辺をスペース１３ｃに位置させ、簡易に着脱可能に装着される。装着手段としては、咬合（嵌着、嵌合、係止、掛止などともいう）である。
【００１９】
さらに、枠１０１ａと荷物入れなどに用いられる結束・固定用のベルト１００に第一突起１３ａは挟まれ、位置固定される。加えて、突部１３ｄがあることで挟持部１３は枠１０１ａから脱離しにくい。なお、枠にはベルトで覆われている枠も含まれる。
【００２０】
すなわち、ベルト枠取付用機能拡張部材１１は、装着時の部材の変形が元の形状に戻ろうとする作用によって発生する摩擦力又は／及び機械的な引っ掛かりで保持される。その作用は、引っ張られた変形が元の形状に戻り縮もうとする作用、又は圧縮された変形が元の形状に戻り伸びようとする作用である。
【００２１】
ここでは、枠は、枠１０１ａと枠１０１ａに渡された軸１０１ｂとからなるアジャスター１０１の枠１０１ａを利用する。ベルト１００は、その一端が軸１０１ｂに輪状になって連結し、他端は枠１０１ａの一辺の下から軸１０１ｂの上を通って、再び対向する辺の枠１０１ａの下を通り、貫通し、ベルト１００の長さが調整される。
【００２２】
本体１２は、薄板で輪状の枠１２ａに穴１２ｂが穿設されてなり、穴１２ｂが機能拡張部を形成し、穴１２ｂ及び本体１２の枠に物を係止することができる。
【００２３】
物としては、キーホルダー、メガネ、携帯、スマートフォン、工具などが例示できる。物は、物に備えられるフック、ストラップを介して機能拡張部に係止される。物は、機能拡張部に係止できれば、形状、大きさ、用途は限定されない。
【００２４】
機能拡張部は、物を係止、或いは取り付けする部分で、穴、ピン、橋、ピンを立設した橋、鈎、リング、コの字挟持体及びバックルなどが例示され、それらの内、１種或いは同時に複数を採用できる。それらは、本体に固定、着脱いずれでも構わない、さらに取り付け位置で回転してもよい。
【００２５】
荷物入れ等に用いられる結束・固定用のベルト１００は、使用状態では荷物の重さで長手方向に引っ張られ、アジャスター１０１方向に強く押しつけられる。その押しつけ力により挟持部１３の第一突起１３ａは押圧され、挟持部１３に摩擦が生じ、挟持部１３は位置決めされる。そして、挟持部１３には、突部１３ｄが突出しており、挟持部１３の抜けを防止している。すなわち、突部１３ｄは、抜け防止手段である。
【００２６】
挟持部は、ベルト１００に連結或いはベルト１００を通す環状の枠、例えばカン、トライグライトなどのアジャスター、バックルなど、に装着できれば、形状は限定されない。ベルト枠取付用機能拡張部材の抜け防止手段として、装着後、粘着、接着、溶接など、または磁石等の組み合わせで固定してもよく、固定方法によって限定されるものではない。
【００２７】
また、ヒモ、糸、ストリング（ガット）、ナイロン線などの補助具を用いてベルト１００を取り囲み、挟持部に連結するなどして、ベルト枠取付用機能拡張部材の脱落や紛失を防止することができる。他の実施例でも同様である。
【実施例２】
【００２８】
図２に示す、本発明の第二実施形態のベルト枠取付用機能拡張部材２１は、本体２２と、本体２２に連設する挟持部２３とからなる。
【００２９】
本体２２は枠２２ａと、枠２２ａに穿設した穴２２ｂと、枠２２ａに渡された橋２２ｃとからなる。
【００３０】
挟持部２３は、本体の枠２２ａに連設した第一突起２３ａと第二突起２３ｂと、それらの間に形成されたスペース２３ｃとからなる。スペース２３ｃは、枠１０３ａを収納する形状に窪む。
【００３１】
枠２２ａ及び穴２２ｂが機能拡張部を形成する。さらに穴２２ｂを跨ぐように半リング状の橋２２ｃが第二の機能拡張部を形成する。
【００３２】
ベルト枠取付用機能拡張部材２１は、図２（Ｂ）及び（Ｃ）に示すように、挟持部２３がカン１０３の枠１０３ａの内側から、枠１０３ａの一辺に巻かれたベルト１００ごと第一突起２３ａと第二突起２３ｂで挟み、枠１０３ａの一辺をスペース２３ｃに位置させ、簡易に着脱可能に装着される。すなわち、挟持部２３が枠１０３ａ及びベルト１００を挟み込むことにより、挟持部２３に押し広げられる変形が与えられ、挟持部２３が元の形状に戻ろうとする作用により装着される。
【００３３】
さらに、第一突起２３ａは枠１０３ａと荷物入れなどに用いられる結束・固定用のベルト１００に挟まれ位置固定される。
【００３４】
ベルト枠取付用機能拡張部材２１を、フック１０２とベルト１００を連結するカン１０３部分に装着し、穴２２ｂ、又は／及び、橋２２ｃに物が係止されるとその重さで第一突起２３ａがベルト１００に一層強く押し当てられ、摩擦力が増し、挟持部２３が一層抜けにくくなる。
【実施例３】
【００３５】
図３に示す、本発明の第三実施形態のベルト枠取付用機能拡張部材３１は、本体３２と、本体３２に連設する左右の挟持部３３とからなる。
【００３６】
本体３２は、Ｕ字状の枠３２ａと、その間の空間３２ｂと、枠３２ａに渡された橋３２ｃとからなる。枠３２ａ及び空間３２ｂが第一の機能拡張部を形成し、橋３２ｃが第二の機能拡張部を形成する。
【００３７】
左右の挟持部３３は、それぞれ、Ｕ字状の枠３２ａの先端に穿設し、湾曲部３３ｄと、湾曲部３３ｄの間のスペース３３ｃとからなる。
【００３８】
ベルト枠取付用機能拡張部材３１は、図３（Ｂ）及び（Ｃ）に示すように、挟持部３３が、カン１０３の枠１０３ａの外側から、枠１０３ａの一辺を湾曲部３３ｄで囲み、スペース３３ｃに位置させ、簡易に着脱可能に装着される。すなわち、挟持部３３が枠１０３ａを挟み込むことにより、挟持部３３に押し広げられる変形が与えられ、挟持部３３が元の形状に戻ろうとする作用により装着される。
【００３９】
さらに、湾曲部３３ｄは枠１０３ａと荷物入れなどに用いられる結束・固定用のベルト１００に挟まれ位置固定される。
【実施例４】
【００４０】
図４に示す、本発明の第四実施形態のベルト枠取付用機能拡張部材４１は、本体４２と、本体４２に連設する挟持部４３とからなる。
【００４１】
本体４２は、ドーナツ状の枠４２ａと、枠に穿設した穴４２ｂと、枠４２ａに渡された橋４２ｃとからなる。枠４２ａ及び穴４２ｂが第一の機能拡張部を形成し、橋４２ｃが第二の機能拡張部を形成する。
【００４２】
挟持部４３は、本体４２に屈曲して連設する湾曲部４３ｄと、湾曲部より延設されるホールド４３ｇとからなる。本体４２と湾曲部４３ｄとホールド４３ｇで囲まれたスペース４３ｃが形成される。
【００４３】
他方、湾曲部４３ｄの反スペース側は、窪み４３ｅが形成され、さらに窪み４３ｅには切込４３ｆが複数穿設される。窪み４３ｅは当接面となり、湾曲して枠を覆うベルトとへの当接面積を広くして、摩擦を増大させるとともに、外れないように係止する。
【００４４】
すなわち、ベルト枠取付用機能拡張部材４１は、スペース４３ｃに枠１０３ａ及びベルト１００を挟みこむことで装着され、さらに、窪み４３ｅとスペース４３ｃの窪み４３ｅ側が、図４（Ｂ）に示す金属製のカン１０３内で枠１０３ａの二辺から押されて変形を与えられたベルト枠取付用機能拡張部材４１が、枠１０３ａの二辺を押し返す作用でも係止、装着される。
【００４５】
また、切込４３ｆを設けることで、挟持部４３の幅方向の変形能が高まり、より狭いところへの差し込みも変形して可能になり、幅方向における汎用性が高まる。
【００４６】
ベルト枠取付用機能拡張部材４１は、図４（Ｂ）に示すように、挟持部４３の外側が枠１０３ａの一辺に、内側が対向する枠１０３ａに当接して、本体４２とホールド４３ｇで枠１０３ａを覆うベルト１００を噛み、抜け防止を図っている。
【実施例５】
【００４７】
図６（Ｂ）（Ｃ）に示すように、バックパックやリュックの、ショルダーハーネス、肩ベルト、ショルダーストラップなどと呼ばれる背負い紐には、その長さを調節するためにベルト１００と組み合わせたラダーロック（アジャスター１０４）という枠が使われている。
【００４８】
ラダーロックのアジャスター１０４は、バックパックを背負ったときに、取り扱いが便利な胸元に、種々機能が付与できるので、本発明を適用するためには、好まし枠である。ラダーロックを引き上げることでベルト１００を緩めることができるツマミ１０４ａを備えることが、ラダーロックの特徴である。
【００４９】
ラダーロック式のアジャスター１０４は複数の枠で構成され複数の穴があるので、これまでの実施例のように、それら枠、穴構造を利用して、枠の機能拡張をすることも可能である。
【００５０】
図５，６に示す、本発明の第五実施形態のベルト枠取付用機能拡張部材５１は、本体５２と、本体５２に回動可能に連設する挟持部５３と、挟持部５３に取り付けたヒモ５４からなり、ラダーロック式のアジャスター１０４への装着に好適である。
【００５１】
本体５２は、Ｖ字状の枠５２ａと、その端部に嵌められた軸５２ｄと、それらで囲まれた穴５２ｂとからなる。枠５２ａ及び穴５２ｂが、機能拡張部で、物を係止する。この例では、バックパックの背負い紐のラダーロック式のアジャスター１０４にメガネ１１０の係止機構を拡張している。
【００５２】
挟持部５３は、図６（Ａ）に詳述したように、第一突起５３ａと第二突起５３ｂと、それらに間のスペース５３ｃ、貫通孔５３ｇとからなるコの字状である。第一突起５３ａの先端は切欠き５３ｄでツマミ１０４ａがあっても枠１０１ａに装着できるようにしている。貫通孔５３ｇに本体５２の軸５２ｄを挿通して、本体５２と回動可能に連結する。
【００５３】
第一突起５３ａのスペース５３ｃ側には、さらに、溝５３ｅが穿設され、ツマミ１０４ａを嵌め、脱落しにくくしている。スペース５３ｃの奥側には拡張部５３ｆを形成し、第一突起５３ａと第二突起５３ｂの一部を肉薄化して、第一、第二突起５３ａ、５３ｂの変形性を高め、ツマミ１０４ａの装着を容易にしている。
【００５４】
すなわち、ベルト枠取付用機能拡張部材５１は、第一突起５３ａと第二突起５３ｂとの間に位置するツマミ１０４ａが第一突起５３ａと第二突起５３ｂを押し広げ、その変形を元に戻す作用によってアジャスター１０４に装着される。
【００５５】
この実施例では、第二突起５３ｂが軸１０１ｂに巻かれたベルト１００に接するよう長めに設計されているため、ベルト枠取付用機能拡張部材５１をアジャスター１０４の枠１０１ａに装着することで、第二突起５３ｂがアジャスター１０４のベルト長調節部分に楔（くさび）のように挿入され、ベルト長調節機能を停止させ、ベルト長を固定する効果をも有する。
【００５６】
一方、アジャスター１０４のベルト長調節部分に届かず干渉することがないように、第二突起５３ｂを短く設計したベルト枠取付用機能拡張部材では、装着した後も、アジャスター１０４に、ベルト長調節機能を保持させることができる。
【００５７】
ヒモ５４は、両端が挟持部５３に貫通、固定され、図６（Ｂ）に示すように、アジャスター１０４の枠１０１ａに絡め、挟持部５３が脱離しても固定してベルト枠取付用機能拡張部材５１が落下、紛失しないようにする、紛失防止手段である。
【実施例６】
【００５８】
図７に示す、本発明の第六実施形態のベルト枠取付用機能拡張部材６１は、本体６２と、本体６２に連設する挟持部６３とからなる。
【００５９】
本体６２は、ドーナツ状の枠６２ａと、枠６２ａに穿設した穴６２ｂと、枠６２ａに渡された橋６２ｃとからなる。枠６２ａ及び穴６２ｂが第一の機能拡張部を形成し、橋６２ｃが第二の機能拡張部を形成する。
【００６０】
挟持部６３は、本体６２に屈曲して連設する第一突起６３ａと、本体６２に湾曲して連設する第二突起６３ｂと、第一突起６３ａと第二突起６３ｂで囲まれたスペース６３ｃとからなる。スペース６３ｃは、金属製の枠１０１ａに渡された金属製の軸１０１ｂとそれを覆うベルト１００を収納する形状に窪む。
【００６１】
第二突起６３ｂには、屈曲して突起６３ｅが突設され、複数の切込６３ｆが穿設される。切込６３ｆを設けることで、第二突起６３ｂの幅方向の変形能が高まり、より狭いところへの差し込みも変形して可能になり、幅方向における汎用性が高まる。
【００６２】
ベルト枠取付用機能拡張部材６１は、図７（Ｂ）に示すように、挟持部６３が、軸１０１ｂを覆うベルト１００ごと挟み、第一突起６３ａ、第二突起６３ｂが枠１０１ａの内側から二辺に係止される。また、突起６３ｅは、枠１０１ａとベルト１００に挟持される。
【００６３】
すなわち、ベルト枠取付用機能拡張部材６１は、挟持部６３が、軸１０１ｂとベルト１００によって押し広げられ、その変形を元に戻す作用によってアジャスター１０１に装着される。
【００６４】
なお、ここでは、枠１０１ａに渡した軸１０１ｂが位置移動式のアジャスター１０１を用いている。
【００６５】
さらに、この例では、釣り糸で用いられるナイロン線６５でベルト１００を取り囲んだうえで、その両端を加熱により溶融させ球状の抜け止め６６を作り、挟持部６３の突起６３ｅの切込６３ｆに係止し、ベルト枠取付用機能拡張部材６１の脱落・紛失防止策を施している。
【実施例７】
【００６６】
図８に示す、本発明の第七実施形態のベルト枠取付用機能拡張部材７１は、本体７２と、本体７２に連設する挟持部７３とからなる。
【００６７】
本体７２は、ドーナツ状の枠７２ａと、枠７２ａに穿設した穴７２ｂと、枠７２ａに立設したピン７２ｄとからなる。枠７２ａ及び穴７２ｂが第一の機能拡張部を形成し、ピン７２ｄが第二の機能拡張部を形成する。
【００６８】
挟持部７３は、本体７２に屈曲して連設する第一突起７３ａと、本体７２に湾曲して連設する第二突起７３ｂと、第一突起７３ａと第二突起７３ｂで囲まれたスペース７３ｃとからなる。スペース７３ｃは、図１（Ｂ）または、図７（Ｂ）と同様に枠１０１ａに渡された軸１０１ｂとそれを覆うベルト１００を収納する形状に窪む。
【００６９】
すなわち、ベルト枠取付用機能拡張部材７１は、挟持部７３が、軸１０１ｂとベルト１００によって押し広げられ、その変形を元に戻す作用によってアジャスター１０１に装着される。
【００７０】
第二突起７３ｂには、屈曲して突起７３ｅが突設され、複数の切込７３ｆが穿設される。切込７３ｆは、実施例６の切込６３ｆと同じ機能である。
【００７１】
すなわち、ベルト枠取付用機能拡張部材７１は、実施例６において橋６２ｃを除き、本体７２にピン７２ｄを備える形態である。
【実施例８】
【００７２】
図９に示す、本発明の第八実施形態のベルト枠取付用機能拡張部材８１は、本体８２と、本体８２の左右に連設する挟持部８３とからなる。
【００７３】
本体８２は、断面弧状の枠８２ａと、枠８２ａに穿設した穴８２ｂと、枠８２ａに穴８２ｂを跨ぐように渡された橋８２ｃとからなる。枠８２ａと穴８２ｂが第一の機能拡張部を形成し、橋８２ｃが第二の機能拡張部を形成する。
【００７４】
挟持部８３は、枠８２ａの左右にそれぞれ連設する第一突起８３ａと第二突起８３ｂとからなる。それらの先端にはカギ８３ｇを備える。
【００７５】
ベルト枠取付用機能拡張部材８１は、枠８２ａと第一及び第二突起８３ａ、８３ｂで囲まれたスペース８３ｃを備える。
【００７６】
そして、ベルト枠取付用機能拡張部材８１は、図９（Ｂ）に示すように、第一突起８３ａ及び第二突起８３ｂでベルト１００長手方向に直交する二辺の枠１０１ａを挟み係止したうえで、二辺において、カギ８３ｇが枠１０１ａに係止するとともに枠１０１ａとベルト１００とに挟まれる。枠１０１ａの二辺の枠１０１ａはベルト１００の長手方向に平行な二辺であってもよい。スペース８３ｃに、アジャスター１０１及び軸１０１ｂに巻かれるベルト１００を収納する。
【００７７】
なお、装着先として、軸１０１ｂが渡された枠１０１ａからなるアジャスター１０１を用いた。
【００７８】
すなわち、ベルト枠取付用機能拡張部材８１は、本体８２及び挟持部８３が、枠１０１ａによって押し広げられ、その変形を元に戻す作用によってアジャスター１０１に装着される。
【実施例９】
【００７９】
図１０に示す、本発明の第九実施形態のベルト枠取付用機能拡張部材９１は、本体９２と、本体９２に連設する挟持部９３とからなる。ここでの装着先は、軸１０１ｂが渡された枠１０１ａからなるアジャスター１０１である。
【００８０】
本体９２は、ベルト１００の幅方向の左右に分割される、左枠９２ａ及び右枠９２ｂと、左右枠９２ａ、９２ｂを連結する孔９２ｃ及びピン９２ｄと、左右枠９２ａ、９２ｂに突設される左棒９４及び右棒９４ａとからなる。左右枠９２ａ、９２ｂの連結、固定には、ネジ穴９２ｅとネジ穴９２ｅに螺合して左右枠９２ａ、９２ｂを締結するネジ９２ｆを用いる。
【００８１】
挟持部９３は、左右枠９２ａ、９２ｂからそれぞれ垂下する、左溝９３ｃを穿設した第一突起９３ａと、右溝９３ｄを穿設した第二突起９３ｂからなる。左右溝に枠１０１ａが位置する。本体９２の枠１０１ａ側は、枠１０１ａ及びベルト１００の膨らみを包み込む窪み９３ｅが形成されている。
【００８２】
挟持部９３は、図１０（Ｂ）に示すように、本体９２の合体の位置決めの際、枠１０１ａのベルト１００の長手方向の二辺を挟み、図１０（Ｃ）に示すように、ベルト枠取付用機能拡張部材９１をアジャスター１０１に装着する。
【００８３】
すなわち、ベルト枠取付用機能拡張部材９１は、挟持部９３が、ネジ９２ｆによる螺合で枠１０１ａを締付、それを押し戻そうとする作用によってアジャスター１０１に装着される。
【００８４】
左右棒９４、９４ａは本体９２が合体すると、図１０（Ｄ）に示すように、ボトル１１０ａの首部を挟み係止する、機能拡張部を形成する。ボトル１１０ａの脱落を防止するように、左右棒９４、９４ａの先端部は空間をつぼめるよう、幅広になっている。
【００８５】
この第九実施形態のベルト枠取付用機能拡張部材９１の分割は、ベルト１００の長手方向の左右に分割することも可能である。この場合、ベルト１００に対して直交する方向に、ボトル１１０ａを装着したい場合に特に有効である。また、ボトル１１０ａ等の係止される物や、機能拡張部の形状によらず、用途や強度の検討に応じて、ベルト１００の長手方向に対して４５度など任意の角度で分割する方法も有効な設計となり得る。
【実施例１０】
【００８６】
図１１に示す、本発明の第十実施形態のベルト枠取付用機能拡張部材１１１は、本体１１２と、本体１１２にベルト１１４を介して連設する挟持部１１３とからなる。
【００８７】
本体１１２は、薄板状のプレート１１２ａと、その上面に設けられた半リング状の橋１１２ｃと鈎１１２ｄとからなる。それらに、物を係止することができるので、橋１１２ｃ及び鈎１１２ｄは機能拡張部である。
【００８８】
挟持部１１３は、ベルト１１４に連設するバー１１３ｄと、その両短に突設される第一突起１１３ａ及び第二突起１１３ｂと、第一突起１１３ａ及び第二突起１１３ｂとベルト１１４との間にスペース１１３ｃと、からなる。
【００８９】
図１１（Ｂ）に示すように、装着先は、軸１０１ｂが二本渡された枠１０１ａからなるアジャスター１０１ｃである。二本の軸にはそれぞれベルトの端が輪状に通され、ベルトの長さ調節に利用される。
【００９０】
そして、ベルト枠取付用機能拡張部材１１１は、バー１１３ｄを斜めにしてアジャスター１０１ｃの枠１０１ａの内側に通し、枠１０１ａをスペース１１３ｃに位置させ、装着する。
【００９１】
すなわち、ベルト枠取付用機能拡張部材１１１は、挟持部１１３が、枠１０１ａによって押し広げられ、それを戻そうとする作用によってアジャスター１０１ｃに装着される。
【００９２】
ベルト枠取付用機能拡張部材１１１に物が係止されると、物の重さにより、ベルト１００に張力が付加され、挟持部１１３がベルト１００と枠１０１ａの間で圧縮されることがある。この場合、ベルト１００からの圧縮力と、変形が復元しようと膨張する挟持部１１３との接触面での、「咬合による保持」、「摩擦力による保持」、またはその両方である本質的に共通した機械的な作用で、さらに強固な相対位置の保持が実現されることになる。
【符号の説明】
【００９３】
１１      ベルト枠取付用機能拡張部材
１２      本体
１２ａ    枠
１２ｂ    穴
１３      挟持部
１３ａ    第一突起
１３ｂ    第二突起
１３ｃ    スペース
１３ｄ    突部
２１      ベルト枠取付用機能拡張部材
２２      本体
２２ａ    枠
２２ｂ    穴
２２ｃ    橋
２３      挟持部
２３ａ    第一突起
２３ｂ    第二突起
２３ｃ    スペース
３１      ベルト枠取付用機能拡張部材
３２      本体
３２ａ    枠
３２ｂ    空間
３２ｃ    橋
３３      挟持部
３３ｃ    スペース
３３ｄ    湾曲部
４１      ベルト枠取付用機能拡張部材
４２      本体
４２ａ    枠
４２ｂ    穴
４２ｃ    橋
４３      挟持部
４３ｃ    スペース
４３ｄ    湾曲部
４３ｅ    窪み
４３ｆ    切込
４３ｇ    ホールド
５１      ベルト枠取付用機能拡張部材
５２      本体
５２ａ    枠
５２ｂ    穴
５２ｄ    軸
５３      挟持部
５３ａ    第一突起
５３ｂ    第二突起
５３ｃ    スペース
５３ｄ    切欠き
５３ｅ    溝
５３ｆ    拡張部
５３ｇ    貫通孔
５４      ヒモ
６１      ベルト枠取付用機能拡張部材
６２      本体
６２ａ    枠
６２ｂ    穴
６２ｃ    橋
６３      挟持部
６３ａ    第一突起
６３ｂ    第二突起
６３ｃ    スペース
６３ｅ    突起
６３ｆ    切込
６５      ナイロン線
６６      抜け止め
７１      ベルト枠取付用機能拡張部材
７２      本体
７２ａ    枠
７２ｂ    穴
７２ｄ    ピン
７３      挟持部
７３ａ    第一突起
７３ｂ    第二突起
７３ｃ    スペース
７３ｅ    突起
７３ｆ    切込
８１      ベルト枠取付用機能拡張部材
８２      本体
８２ａ    枠
８２ｂ    穴
８２ｃ    橋
８３      挟持部
８３ａ    第一突起
８３ｂ    第二突起
８３ｃ    スペース
８３ｇ    カギ
９１      ベルト枠取付用機能拡張部材
９２      本体
９２ａ    左枠
９２ｂ    右枠
９２ｃ    孔
９２ｄ    ピン
９２ｅ    ネジ穴
９２ｆ    ネジ
９３      挟持部
９３ａ    第一突起
９３ｂ    第二突起
９３ｃ    左溝
９３ｄ    右溝
９３ｅ    窪み
９４      左棒
９４ａ    右棒
１００    ベルト
１０１    アジャスター
１０１ａ  枠
１０１ｂ  軸
１０１ｃ  アジャスター
１０２    フック
１０３    カン
１０３ａ  枠
１０４    アジャスター
１０４ａ  ツマミ
１１０    メガネ
１１０ａ  ボトル
１１１    ベルト枠取付用機能拡張部材
１１２    本体
１１２ａ  プレート
１１２ｃ  橋
１１２ｄ  鈎
１１３    挟持部
１１３ａ  第一突起
１１３ｂ  第二突起
１１３ｃ  スペース
１１３ｄ  バー
１１４    ベルト
【要約】
【課題】ベルトに連結するバックル、或いはベルトを通しベルトの長さを調節する金具などの環状の枠を利用して、さらにはベルトをも利用して、ベルトに通すことなくフックなどの機能拡張部をベルト周辺に簡単に着脱可能に増設できる、ベルト枠取付用機能拡張部材を提供する。
【解決手段】ベルトに連結する枠或いはベルトを通す環状の枠に直接的に接触して装着され、又は前記枠を覆うベルトを介させて前記枠に間接的に装着され、機能拡張部を備えてなり、前記装着が、装着時の部材の変形が元の形状に戻ろうとする作用によって発生する摩擦力、又は／及び装着時の部材の変形が元の形状に戻ろうとする作用による咬合で保持されるベルト枠取付用機能拡張部材の構成とした。なお、前記機能拡張部は、物を係止、或いは取り付けする部分で、穴、ピン、橋、ピンを立設した橋、鈎、リング、コの字挟持体及びバックルの内いずれか１種、又は２種以上とした。
【選択図】図１【図１】
0006777338.tif 000002
【図２】
0006777338.tif 000003
【図３】
0006777338.tif 000004
【図４】
0006777338.tif 000005
【図５】
0006777338.tif 000006
【図６】
0006777338.tif 000007
【図７】
0006777338.tif 000008
【図８】
0006777338.tif 000009
【図９】
0006777338.tif 000010
【図１０】
0006777338.tif 000011
【図１１】
0006777338.tif 000012